(57)【要約】【課題】開閉扉の近傍にハンドセットを配置したとしても、開閉扉に挟まれることのないモジュラケーブル保持機構、ハンドセット保持機構、電気装置、画像形成装置を提供すること。【解決手段】画像形成装置本体１の側面に設けられたドア１４と、カールコード１３で画像形成装置本体１に接続されたハンドセット１１とを備えてなる画像形成装置において、前記ドア１４の上側に前記カールコード１３を引っ掛け、または巻き付けて保持されるブラケット１２を備えた。【選択図】図１
2007150776.tif 000002
【特許請求の範囲】
【請求項１】
装置本体側面に設けられた開閉扉とモジュラケーブルで前記装置本体に接続されたハンドセットとを備えてなる装置において、前記開閉扉の上側に配置され、前記モジュラケーブルを引っ掛け、または巻き付けて保持されるモジュラケーブル係止部を備えたことを特徴とするモジュラケーブル保持構造。
【請求項２】
前記モジュラケーブル係止部は前記モジュラケーブルを巻き付けるコ字型を有した部材であることを特徴とする請求項１のモジュラケーブル保持構造。
【請求項３】
前記モジュラケーブル係止部は装置の運搬時に装置本体内に収納できることを特徴とする請求項１または２のモジュラケーブル保持構造。
【請求項４】
前記モジュラケーブル係止部は、装置の最外側を壁に寄せた時、装置本体と壁との間に隙間が設ける当接部を備えたことを特徴とする請求子１ないし３のいずれかのモジュラケーブル保持構造。
【請求項５】
前記モジュラケーブル係止部は機械の移動の運搬用取手としても使える十分な強度を備えたことを特徴とする請求項１ないし４のいずれかのモジュラケーブル保持構造。
【請求項６】
前記モジュラケーブル係止部は、把持部に滑止手段を備えたことを特徴とする請求項５のモジュラケーブル保持構造。
【請求項７】
前記モジュラケーブル係止部は、全体形状を略Ｌ字型とし、装置側面に片持ち支持されて取り付けられていることを特徴とする請求項１のモジュラケーブル保持構造。
【請求項８】
前記モジュラケーブル係止部は、装置側面への取付部は水平面内で回動可能な水平回動部を、また折れ曲がり部に垂直面に沿って回動可能な垂直回動部を備えたことを特徴とする請求項７のモジュラケーブル保持構造。
【請求項９】
前記モジュラケーブル係止部は、合成樹脂で形成されたことを特徴とする請求項１ないし８のいずれかのモジュラケーブル保持構造。
【請求項１０】
前記モジュラケーブル係止部は、ハンドセット抜け防止のためのストッパを設けたことを特徴とする請求項１ないし９のいずれかのモジュラケーブル保持構造。
【請求項１１】
前記モジュラケーブル係止部は、モジュラケーブル載置面と、前記モジュラケーブル載置面に配置され前記モジュラケーブル引っ掛ける係止部を備えたたことを特徴とする請求項１のモジュラケーブル保持構造。
【請求項１２】
前記係止部は鈎状に形成されたことを特徴とする請求項１１のモジュラケーブル保持構造。
【請求項１３】
前記係止部は取り外し可能なハーネスクランプであることを特徴とする請求項１１のモジュラケーブル保持構造。
【請求項１４】
前記モジュラケーブル係止部は、前記モジュラケーブル載置面にハンドセット設置部を備えたことを特徴とする請求項１１ないし１３のいずれかのモジュラケーブル保持構造。
【請求項１５】
前記モジュラケーブル係止部は、前記モジュラケーブル載置面に隣接してハンドセット設置部を備えたことを特徴とする請求項１１ないし１３のいずれかのモジュラケーブル保持構造。
【請求項１６】
前記モジュラケーブル係止部は、モジュラケーブル取付部と布巾を含む他の物を掛けておく物掛部とを備え、モジュラケーブル取付部と物掛部とを分離する分離部材を備えたことを特徴とする請求項１ないし１０のいずれかのモジュラケーブル保持構造。
【請求項１７】
装置本体側面に設けられた開閉扉と、モジュラケーブルで前記装置本体に接続されたハンドセットが取り付けられてなる装置の前記開閉扉の外側面に配置され、前記モジュラケーブルを引っ掛け、または巻き付けて保持されるモジュラケーブル係止部を備えたことを特徴とするモジュラケーブル保持構造。
【請求項１８】
前記モジュラケーブル係止部は、前記開閉扉と一体に形成されたことを特徴とする請求項１７のモジュラケーブル保持構造。
【請求項１９】
前記モジュラケーブル係止部は鈎状に形成されたことを特徴とする請求項１８のモジュラケーブル保持構造。
【請求項２０】
前記モジュラケーブル係止部は、取り外し可能なハーネスクランプであることを特徴とする請求項１８のモジュラケーブル保持構造。
【請求項２１】
装置本体側面に設けられた開閉扉と、モジュラケーブルで前記装置本体に接続されたハンドセットとを備えた装置において、前記ハンドセットを係止するハンドセット係止部を前記モジュラケーブルが前記開閉扉の開閉動作に影響を与えない個所に取り付けたことを特徴とするハンドセット保持構造。
【請求項２２】
ハンドセットのモジュラケーブルの一部を装置本体及び周辺装置の少なくとも一方の内部を通過させてハンドセットに接続したことを特徴とする請求項２１のハンドセット保持構造。
【請求項２３】
ハンドセットのモジュラケーブルを装置本体に設けたモジュラケーブル係止部に係止して敷設することを特徴とする請求項２１または２２のハンドセット保持構造。
【請求項２４】
前記モジュラケーブル係止部を周辺機の外装カバーに一体に形成したことを特徴とする請求項２１ないし２３のいずれかのハンドセット保持構造。
【請求項２５】
前記モジュラケーブル係止部は取り外し可能なハーネスクランプであることを特徴とする請求項２１ないし２４のいずれかのハンドセット保持構造。
【請求項２６】
前記ハンドセット係止部を装置本体または装置本体に隣接して配置される周辺機のいずれにも取り付けることができるよう構成したことを特徴とする請求項２１のハンドセット保持構造。
【請求項２７】
装置本体側外装色と周辺機外装色を同一としたことを特徴とする請求項２６のハンドセット保持構造。
【請求項２８】
請求項１ないし２０のいずれかのモジュラケーブル保持構造、または、請求項２１ないし２７のいずれかのハンドセット保持構造を備えたことを特徴とする電気装置。
【請求項２９】
請求項１ないし２０のいずれかのモジュラケーブル保持構造、または、請求項２１ないし２７のいずれかのハンドセット保持構造を備えたことを特徴とする画像形成装置。
【発明の詳細な説明】
【技術分野】
【０００１】
本発明はモジュラケーブル保持機構、ハンドセット保持機構、電気装置、画像形成装置に係り、特にハンドセットと装置本体とを連結するモジュラケーブルを装置本体の開閉扉に巻き込まれることを防止することができるにモジュラケーブル保持機構、ハンドセット保持機構、電気装置、画像形成装置に関する。
【背景技術】
【０００２】
画像形成装置としてファクシミリ機能などを備えた複合型画像形成装置にあっては、装置本体に受話器であるハンドセットを配置したものがある。このハンドセットはモジュラケーブルで装置本体に接続されるが、モジュラケーブルとしてカールコードを使用するものが一般的である。
【０００３】
このようなモジュラケーブルはそのままでは使用時に装置に絡まり邪魔になったり、モジュラケーブル自体が絡まり変形して不良となったりするため、従来モジュラケーブルをさまざまな形で処理するものとしている。
【０００４】
特許文献１には、アダプタ本体の側面に開閉部を形成し、開閉部の内側に機ひもを巻き付けるための突起を形成し、アダプタ本体を壁面に固定した後電話機をアダプタ本体に固定した時には、開閉部を開いて機ひもの余分な部分を突起に巻き付け、この後開閉部を閉じることによって機ひもがアダプタ本体内に収納されるものが記載されている。
【０００５】
特許文献２には、ハンドセット内にバネ性カールコードを収納できる部屋を設け、バネ性カールコード自体の特性であるバネ性を利用し、最も縮んだ状態でハンドセット内にバネ性カールコードが納まり、ハンドセットを取り上げた際にはバネ性カールコードが延びてハンドセット内から出てくるようにするものが記載されている。
【０００６】
特許文献３には、送受話器のカールコードに設けられたコネクタプラグを、機器側の収納部に設けられたコネクタレセプタクルに嵌合して接続し、前記送受話器をカールコードと共に収納部内に収納するカールコード付送受話器の収納構造において、棒状体を逆Ｕ字形に曲折して両端に垂直部を形成すると共に、収納部内に収納した時の送受話器の握り部の高さよりも低くしたコード係止具を、前記収納部の側壁と並行になるように前記コネクタレセプタクルの近傍に固定し、前記カールコードをコード係止具と収納部の側壁との間に挿入して、任意のカール部間にコード係止具の両端の垂直部を挟み込むことにより、カールコードのコネクタプラグ側の部分をコード係止具に係止させたものが記載されている。
【特許文献１】特開平８−２３７３４８
【特許文献２】実開平５−２８１６３
【特許文献３】実公平７−２７７２０
【発明の開示】
【発明が解決しようとする課題】
【０００７】
ところで、このような画像形成装置にあっては、消耗品補給用、保守点検用に装置本体に開閉扉が設けられている。前記ハンドセットのモジュラケーブルはハンドセットへの取付部と装置本体への取付部とで支持され、それらの間において垂れ下がってしまうため、前記開閉扉を開閉する際開閉扉に挟まれ損傷したり、開閉扉の開閉動作を妨げるおそれがある。
【０００８】
本発明は、開閉扉の近傍にハンドセットを配置したとしても、開閉扉に挟まれることのないモジュラケーブル保持機構、ハンドセット保持機構、電気装置、画像形成装置を提供することを目的とする。
【課題を解決するための手段】
【０００９】
請求項１の発明は、装置本体側面に設けられた開閉扉とモジュラケーブルで前記装置本体に接続されたハンドセットとを備えてなる装置において、前記開閉扉の上側に配置され、前記モジュラケーブルを引っ掛け、または巻き付けて保持されるモジュラケーブル係止部を備えたことを特徴とするモジュラケーブル保持構造である。
【００１０】
請求項２の発明は、請求項１のモジュラケーブル保持構造において、前記モジュラケーブル係止部は前記モジュラケーブルを巻き付けるコ字型を有した部材であることを特徴とする。
【００１１】
請求項３の発明は、請求項１または２のモジュラケーブル保持構造において、前記モジュラケーブル係止部は装置の運搬時に装置本体内に収納できることを特徴とする。
【００１２】
請求項４の発明は、請求子１ないし３のいずれかのモジュラケーブル保持構造において、前記モジュラケーブル係止部は、装置の最外側を壁に寄せた時、装置本体と壁との間に隙間が設ける当接部を備えた。
【００１３】
請求項５の発明は、請求項１ないし４のいずれかのモジュラケーブル保持構造において、前記モジュラケーブル係止部は機械の移動の運搬用取手としても使える十分な強度を備えたことを特徴とする。
【００１４】
請求項６の発明は、請求項５のモジュラケーブル保持構造において、前記モジュラケーブル係止部は、把持部に滑止手段を備えたことを特徴とする。
【００１５】
請求項７の発明は、請求項１のモジュラケーブル保持構造において、前記モジュラケーブル係止部は、全体形状を略Ｌ字型とし、装置側面に片持ち支持されて取り付けられていることを特徴とする。
【００１６】
請求項８の発明は、請求項７のモジュラケーブル保持構造において、前記モジュラケーブル係止部は、装置側面への取付部は水平面内で回動可能な水平回動部を、また折れ曲がり部に垂直面に沿って回動可能な垂直回動部を備えたことを特徴とする。
【００１７】
請求項９の発明は、請求項１ないし８のいずれかのモジュラケーブル保持構造において、前記モジュラケーブル係止部は、合成樹脂で形成されたことを特徴とする。
【００１８】
請求項１０の発明は、請求項１ないし９のいずれかのるモジュラケーブル保持構造において、前記モジュラケーブル係止部は、ハンドセット抜け防止のためのストッパを設けたことを特徴とする。
【００１９】
請求項１１の発明は、請求項１装置のモジュラケーブル保持構造において、前記モジュラケーブル係止部は、テーブル型のモジュラケーブル載置面と、前記モジュラケーブル載置面に配置され前記モジュラケーブル引っ掛ける係止部を備えたたことを特徴とする。
【００２０】
請求項１２の発明は、請求項１１のモジュラケーブル保持構造において、前記係止部は鈎状に形成されたことを特徴とする。
【００２１】
請求項１３の発明は、請求項１１のモジュラケーブル保持構造において、前記係止部は取り外し可能なハーネスクランプであることを特徴とする。
【００２２】
請求項１４の発明は、請求項１１ないし１３のいずれかのモジュラケーブル保持構造において、前記モジュラケーブル係止部は、前記モジュラケーブル載置面にハンドセット設置部を備えたことを特徴とする。
【００２３】
請求項１５の発明は、請求項１１ないし１３のいずれかのモジュラケーブル保持構造において、前記モジュラケーブル係止部は、前記モジュラケーブル載置面に隣接してハンドセット設置部を備えたことを特徴とする。
【００２４】
請求項１６の発明は、請求項１ないし１０のいずれかのモジュラケーブル保持構造において、前記モジュラケーブル係止部は、モジュラケーブル取付部と布巾を含む他の物を掛けておく物掛部とを備え、前記モジュラケーブル取付部と物掛部とを分離する分離部材を備えたことを特徴とする。
【００２５】
請求項１７の発明は、装置本体側面に設けられた開閉扉と、モジュラケーブルで前記装置本体に接続されたハンドセットが取り付けられてなる装置の前記開閉扉の外側面に配置され、前記モジュラケーブルを引っ掛け、または巻き付けて保持されるモジュラケーブル係止部を備えたことを特徴とするモジュラケーブル保持構造である。
【００２６】
請求項１８の発明は、請求項１７のモジュラケーブル保持構造において、前記モジュラケーブル係止部は、前記開閉扉と一体に形成されたことを特徴とする。
【００２７】
請求項１９の発明は、請求項１８のモジュラケーブル保持構造において、前記モジュラケーブル係止部は鈎状に形成されたことを特徴とする。
【００２８】
請求項２０の発明は、請求項１８のモジュラケーブル保持構造において、前記モジュラケーブル係止部は、取り外し可能なハーネスクランプであることを特徴とする。
【００２９】
請求項２１の発明は、装置本体側面に設けられた開閉扉と、モジュラケーブルで前記装置本体に接続されたハンドセットとを備えた装置において、前記ハンドセットを係止するハンドセット係止部を前記モジュラケーブルが前記開閉扉の開閉動作に影響を与えない個所に取り付けたことを特徴とするハンドセット保持構造である。
【００３０】
請求項２２の発明は、請求項２１のハンドセット保持構造において、ハンドセットのモジュラケーブルの一部を装置本体及び周辺装置の少なくとも一方の内部を通過させてハンドセットに接続したことを特徴とする請求項２１のである。
【００３１】
請求項２３の発明は、請求項２１または２２のハンドセット保持構造において、ハンドセットのモジュラケーブルを装置本体に設けたモジュラケーブル係止部に係止して敷設することを特徴とする。
【００３２】
請求項２４の発明は、請求項２１ないし２３のいずれかのハンドセット保持構造において、前記モジュラケーブル係止部を周辺機の外装カバーに一体に形成したことを特徴とする。
【００３３】
請求項２５の発明は、請求項２１ないし２４のいずれかのである請求項２１ないし２４のいずれかのハンドセット保持構造において、前記モジュラケーブル係止部は取り外し可能なハーネスクランプであることを特徴とする。
【００３４】
請求項２６の発明は、請求項２１のハンドセット保持構造において、前記ハンドセット係止部を装置本体または装置本体に隣接して配置される周辺機のいずれにも取り付けることができるよう構成したことを特徴とする。
【００３５】
請求項２７の発明は、請求項２６のハンドセット保持構造において、装置本体側外装色と周辺機外装色を同一としたことを特徴とする。
【００３６】
請求項２８の発明は、請求項１ないし２０のいずれかのモジュラケーブル保持構造、または、請求項２１ないし２７のいずれかのハンドセット保持構造を備えたことを特徴とする電気装置である。
【００３７】
請求項２９の発明は、請求項１ないし２０のいずれかのモジュラケーブル保持構造、または、請求項２１ないし２７のいずれかのハンドセット保持構造を備えたことを特徴とする画像形成装置である。
【発明の効果】
【００３８】
本発明によれば、ハンドセットと装置本体との間のモジュラケーブルは開閉扉に挟まれることがなくなるという効果がある。
【発明を実施するための最良の形態】
【００３９】
以下本発明を実施するための最良の形態としての実施例を図面に基づいて説明する。
【実施例１】
【００４０】
図１及び図２は、実施例１に係るモジュラケーブル保持構造を備えた画像形成装置を示す斜視図である。本例では、画像形成装置本体１の左側面奥に、ハンドセット１１を載置するハンドセット１１が載置されている。本例では、ハンドセット１１は画像形成装置本体１とモジュラケーブルであるカールコード１３で接続されている。このため、操作者がハンドセット１１を取る際にフィニッシャー２の開閉扉であるドア１４にカールコード１３が挟まってしまうおそれがある。本例では、モジュラケーブル係止部として合成樹脂で形成された略コ字型のブラケット１２を前記画像形成装置本体１をなすフィニッシャー２のドア１４の上方に取り付け、カールコード１３を巻き付けている。本例ではハンドセット１１を載置するハンドセット受台１６は、画像形成装置本体１に取り付けたハンドセット取付ブラケット１５に取り付けて構成して。本例によれば、受話器を取った際にも、フィニッシャーのドアに挟まることがなくなる。また、ハンドセット取付ブラケット１５は合成樹脂で形成されているため、安価に製造でき、また電波障害などを引き起こすおそれがない。
【実施例２】
【００４１】
図３は実施例２に係るモジュラケーブル保持構造を備えた画像形成装置を示す斜視図である。本例では、画像形成装置本体１の上方には両面ドア３２が設けられている。本例では、モジュラケーブル係止部として、その取付部を画像形成装置本体１内にスライドして収納できるブラケット３１を配置している。本例では、カールコード１３をブラケット３１に巻き付けることによりカールコード１３が両面ドア３２に挟み込まれることがなくなる他、画像形成装置本体１の運搬時にはブラケット３１を画像形成装置本体１に収納することができ、運搬の邪魔にならない。
【実施例３】
【００４２】
図４は実施例３に係るモジュラケーブル保持構造を備えた画像形成装置を示す斜視図、図５は実施例３に係るモジュラケーブル保持構造を備えた画像形成装置を示す正面図である。本例では、画像形成装置本体１及び両面ドア３２には、排気ルーバ４３が設けられている。このため画像形成装置本体１を壁４６に押しつけて配置する際、画像形成装置本体１と壁との間に空間部を形成する必要がある。このため、本例に係るモジュラケーブル保持構造では両面ドア３２の上部にモジュラケーブル係止部であるブラケット４１を配置している。このブラケット４１は画像形成装置本体１から突出形成された２本の突出部４４とこの突出部４４の間に配置された連結部４５を備えてなり、カールコード１３を巻き付けるものとしている。また、本例では、図５に示すように、突出部４４の先端４２は画像形成装置本体１より飛び出るように形成されており、画像形成装置本体１を壁４６に近づけた際、突出部４４の先端４２が先に壁４６に接触し、画像形成装置本体１と壁４６との間に空間部が形成される。
【００４３】
本例によれば、カールコードは両面ドア３２に挟まることなく、また、画像形成装置本体１と壁４６との間に空間部が形成されるから、排気ルーバ４３が壁４６で塞がれることが防止される他、画像形成装置本体１を壁４６に近接させた時カールコード１３が壁４６との間に挟まれて傷つくことを防止できる。
【実施例４】
【００４４】
図６は実施例４に係るモジュラケーブル保持構造を備えた画像形成装置を示す斜視図である。本例に係るモジュラケーブル保持構造では、モジュラケーブル係止部であるブラケット３１には、画像形成装置本体１の運搬取手としても使用できるように十分な強度を備えるよう太いものとする他滑止手段として凹凸部６２が形成されている。
【実施例５】
【００４５】
図７は実施例５に係るモジュラケーブル保持構造を備えた画像形成装置を示す斜視図である。本例のモジュラケーブル保持構造はモジュラケーブル係止部として略Ｌ字状のブラケット７１を備えている。本例では、画像形成装置本体１の左側面奥の限られたスペースに、ハンドセット受台１６が載置されている。また本例では、ブラケット７１は本体に突出形成される取付部７３と、この取付部７３の先端から水平方向に伸びる延設部７４とから構成される。また、本例では取付部７３の先端にはカールコード１３の抜け止め用にストッパ７２が取り付けられている。本例によれば、カールコード１３をブラケット７１に巻き付けるに際して、ブラケット７１の開放部が形成されているため、巻き付けやすいものとすることができる。
【実施例６】
【００４６】
図８は実施例６に係るモジュラケーブル保持構造を備えた画像形成装置を示す斜視図である。本例のモジュラケーブル保持構造は、画像形成装置本体１にモジュラケーブル係止部としてブラケット８１を取り付けている。ブラケット８１は、画像形成装置本体１から延設される取付部８２とこの取付部８２の先端に取り付けられる延設部８３とを備えている。そして、取付部８２は画像形成装置本体１に水平面内で回動可能な水平回動部８４を介して取り付けられ、また、延設部８３は取付部８２に垂直面に沿って回動可能な垂直回動部８５を介して取り付けられる。従って本例によれば、ブラケット８１の姿勢位置を使用の状況に応じて自由に変更できる。
【実施例７】
【００４７】
図９は実施例７に係るモジュラケーブル保持構造を備えた画像形成装置を示す図であり、（ａ）は斜視図、（ｂ）は部分正面図である。本例のモジュラケーブル保持構造は、画像形成装置本体１にモジュラケーブル係止部として上面をカールコード１３の載置部として平面状に形成した、テーブル型のブラケット９１を採用している。このブラケット９１は、画像形成装置本体１の上面と略面一となるよう取り付けられている。そして、ブラケット９１上にはハンドセット受台１６を配置すると共に、図９（ｂ）に示すように、鈎型のカールコード係止部９２を一体に設け、カールコード１３を引っ掛けるものとしている。なお、カールコード係止部９２はブラケット７１の型成型時にスライドまたは押し切りで成型することができる。従って本例によれば、ハンドセット１１を取った時にも、両面ドア３２に挟まるおそれがなくなる。
【００４８】
本例によれば、ハンドセット１１のカールコード１３が画像形成装置本体１またその別付装置の開閉する扉に挟まれおそれを防止しつつ、小物オプションをのせるスペースや作業スペースを確保できる。
【００４９】
図１０は実施例７の変形例に係るモジュラケーブル保持構造を備えた画像形成装置を示す斜視図である。本例では、ブラケット１０１上に配置するカールコード係止部１０３を取り外し可能なハーネスクランプとして形成している。即ち本例では、ブラケット１０１上面には複数個の取付孔１０２が開設され、取り外し可能なハーネスクランプからなるカールコード係止部１０３を前記取付孔１０２の所定の個所に設け、カールコード１３を引っ掛けるものとしている。本例では、画像形成装置本体１にハンドセットが設置されない場合、ブラケット１０１をテーブルとしてのみ使用することができる。このとき、ハーネスクランプを外すことができるので、ブラケット１０１には突起部がなく、外観上の向上が図れる。
【実施例８】
【００５０】
図１１は実施例８に係るモジュラケーブル保持構造を備えた画像形成装置を示す斜視図である。本例のモジュラケーブル保持構造は、画像形成装置本体１にモジュラケーブル係止部として上面をカールコード１３の載置部として平面状に形成した、テーブル型のブラケット１１１を採用している。このブラケット１１１は、画像形成装置本体１の上面と略面一となるよう取り付けられている。そして、ブラケット１１１の側部にはハンドセット受台１６を配置している。また、ブラケット１１１上面には複数個の取付孔１１２が開設され、取り外し可能なハーネスクランプからなるカールコード係止部１１３を前記取付孔１１２の所定の個所に設け、カールコード１３を引っ掛けるものとしている。本例によれば、ハンドセットが設置されずテーブルとしてのみ使用した場合に、不要にテーブルが大きくなることを防ぐことができる。
【実施例９】
【００５１】
図１２は実施例９に係るモジュラケーブル保持構造を備えた画像形成装置を示す斜視図である。本例に係るモジュラケーブル保持構造は、モジュラケーブル係止部として略コ字型のブラケット１２１を前記画像形成装置本体１に取り付けている。そして本例では、カールコード１３を係止するモジュラケーブル取付部であるカールコード引掛部１２２と、例えば装置清掃用の布巾１２５等を掛ける物掛部１２３とを備え、カールコード引掛部１２２と物掛部１２３とは分離部材１２４で区分けされている。本例によれば、ブラケット１２１にカールコード１３の布巾１２５等をカールコード１３に接触することなく掛けておくことができる。
【実施例１０】
【００５２】
図１３は実施例１０に係るモジュラケーブル保持構造を備えた画像形成装置を示す斜視図である。本例は、画像形成装置に取り付けられたフィニッシャー２のジャム処理用ドア１３１の上部に断面鈎型のモジュラケーブル係止部１３２を一体に形成している。本例によれば、ジャム処理用ドア１３１を開閉してもカールコード１３はモジュラケーブル係止部１３２に保持されジャム処理用ドア１３１に巻き込まれることがない。
【００５３】
図１４は実施例１０の変形例に係るモジュラケーブル保持構造を備えた画像形成装置を示す斜視図である本例は、ジャム処理用ドア１３１に設けたモジュラケーブル係止部１４２を取り外し可能なハーネスクランプとして構成している。本例はハンドセット１１を取付けない場合には、ジャム処理用ドア１３１にモジュラケーブル係止部１４２を取付けないものとすることができる。なお、上記例においては、モジュラケーブル係止部は両面テープで取付けることができ、この場合には、必要に応じてジャム処理用ドアを取付けたり、取付けなかったりすることができる。
【実施例１１】
【００５４】
図１５は実施例１１に係るハンドセット保持構造を備えた画像形成装置を示す斜視図である、本例において、画像形成装置本体１に取付けられたフィニッシャー２の、側面に形成されたドア１５１の表面にハンドセット取付ブラケット１５を取付けハンドセット受台１６を配置している。この取付けハンドセット受台１６の配置位置は、カールコード１３がドア１５１の開閉に巻き込まれない個所が選択される。本例によれば、フィニッシャー２等の周辺機の横幅が比較的小さい時、画像形成装置本体１近傍であってユーザが扱いやすいところにハンドセットを設置することができる。
【実施例１２】
【００５５】
図１６は実施例１２に係るハンドセット保持構造を備えた画像形成装置を示す斜視図、図１７は実施例１２に係るハンドセット保持構造を備えた画像形成装置を示す背面図である。本例では、ハンドセット取付ブラケット１５のカールコード１３に続くモジュラケーブル１６１を、フィニッシャー２の側面板１６２に開設した穴部１６３からフィニッシャー２内部に入れ、画像形成装置本体１内部を通過させ、ＦＡＸユニット１７１のモジュラ穴１７２に直接接続できるものとしている。本例によれば、画像形成装置においてモジュラケーブル１６１を外部に露出することがなくなり、すっきりとした外観を保つことができる。
【実施例１３】
【００５６】
図１８は実施例１３に係るハンドセット保持構造を備えた画像形成装置を示す斜視図、図１９は実施例１３に係るハンドセット保持構造を備えた画像形成装置を示す図であり、（ａ）は背面図、（ｂ）は（ａ）中Ａ−Ａ線に相当する断面図である。本例では、ハンドセット取付ブラケット１５のカールコード１３に続くモジュラケーブル１８１を、フィニッシャー２の側面板１８２に設置したモジュラケーブル係止部１８３に引っ掛け配置している。さらに、モジュラケーブル１８１はフィニッシャー２から続く画像形成装置本体１の側面板１８４に設けに形成したモジュラケーブル係止部１８５に引っ掛け、ＦＡＸユニット１９１のモジュラ穴１９２に接続するようにしている。なお、モジュラケーブル係止部１８３，１８５は側面板１８２，１８４の型成型時にスライドまたは押し切りで成型することができる。本例によれば、モジュラケーブル１８１及びハンドセットの設置を容易なものとすることができる。
【実施例１４】
【００５７】
図２０は実施例１４の変形例に係るハンドセット保持構造保持構造を備えた画像形成装置を示す斜視図、図２１は実施例１４に係るハンドセット保持構造を備えた画像形成装置を示す背面図である。本例では、ハンドセット取付ブラケット１５のカールコード１３に続くモジュラケーブル２０１を、フィニッシャー２の側面板２０２に両面テープで貼付した変形可能なモジュラケーブル係止部２０３に引っ掛け配置している。このモジュラケーブル係止部２０３は針金が内蔵され、貼付後モジュラケーブル２０１の形状に合わせて変形して貼付後モジュラケーブル２０１を係止するタイプのクランプである。さらに、モジュラケーブル２０１はフィニッシャー２から続く画像形成装置本体１の側面板２０４に設けに形成したモジュラケーブル係止部２０５に引っ掛け、ＦＡＸユニット２１１のモジュラ穴２１２に接続するようにしている。本例によれば、モジュラケーブル２０１の配置を安価かつ手軽に行うことができる。
【実施例１５】
【００５８】
図２２は実施例１５に係るハンドセット保持構造を備えた画像形成装置を示す斜視図である本例では、ハンドセット１１設置用のハンドセット受台１６を画像形成装置の２個所に取付け可能に構成したものである。即ち、本例では、画像形成装置の画像形成装置本体１の側面部２２１、及びフィニッシャー２の側面部２２２には、ハンドセット取付ブラケット１５取付け用のねじ穴を形成した取付部２２３，２２４がそれぞれ形成されている。本例では、上記２個所のうち所望の個所にハンドセット取付ブラケット１５を取付けることができる。なお、画像形成装置本体１とフィニッシャー２の外観色を統一しておけば、共通の外観色のハンドセット１１、ハンドセット取付ブラケット１５、ハンドセット受台１６を使用することができる。
【図面の簡単な説明】
【００５９】
【図１】実施例１に係るモジュラケーブル保持構造を備えた画像形成装置を示す斜視図である。
【図２】実施例１に係るモジュラケーブル保持構造を備えた画像形成装置を示す斜視図である。
【図３】実施例２に係るモジュラケーブル保持構造を備えた画像形成装置を示す斜視図である。
【図４】実施例３に係るモジュラケーブル保持構造を備えた画像形成装置を示す斜視図である。
【図５】実施例３に係るモジュラケーブル保持構造を備えた画像形成装置を示す正面図である。
【図６】実施例４に係るモジュラケーブル保持構造を備えた画像形成装置を示す斜視図である。
【図７】実施例５に係るモジュラケーブル保持構造を備えた画像形成装置を示す斜視図である。
【図８】実施例６に係るモジュラケーブル保持構造を備えた画像形成装置を示す斜視図である。
【図９】実施例７に係るモジュラケーブル保持構造を備えた画像形成装置を示す図であり、（ａ）は斜視図、（ｂ）は部分正面図である。
【図１０】実施例７の変形例に係るモジュラケーブル保持構造を備えた画像形成装置を示す斜視図である。
【図１１】実施例８に係るモジュラケーブル保持構造を備えた画像形成装置を示す斜視図である。
【図１２】実施例９に係るモジュラケーブル保持構造を備えた画像形成装置を示す斜視図である。
【図１３】実施例１０に係るモジュラケーブル保持構造を備えた画像形成装置を示す斜視図である。
【図１４】実施例１０の変形例に係るモジュラケーブル保持構造を備えた画像形成装置を示す斜視図である。
【図１５】実施例１１に係るハンドセット保持構造を備えた画像形成装置を示す斜視図である。
【図１６】実施例１２に係るハンドセット保持構造を備えた画像形成装置を示す斜視図である。
【図１７】実施例１２に係るハンドセット保持構造を備えた画像形成装置を示す背面図である。
【図１８】実施例１３に係るハンドセット保持構造を備えた画像形成装置を示す斜視図である。
【図１９】実施例１３に係るハンドセット保持構造を備えた画像形成装置を示す図であり、（ａ）は背面図、（ｂ）は（ａ）中Ａ−Ａ線に相当する断面図である。
【図２０】実施例１４の変形例に係るハンドセット保持構造保持構造を備えた画像形成装置を示す斜視図である。
【図２１】実施例１４に係るハンドセット保持構造を備えた画像形成装置を示す背面図である。
【図２２】実施例１５に係るハンドセット保持構造を備えた画像形成装置を示す斜視図である。
【符号の説明】
【００６０】
１・・・画像形成装置本体
２・・・フィニッシャー
１１・・・ハンドセット
１２・・・ブラケット
１３・・・カールコード
１４・・・ドア
１５・・・ハンドセット取付ブラケット
１６・・・ハンドセット受台
３１・・・ブラケット
３２・・・両面ドア
４１・・・ブラケット
４２・・・先端
４３・・・排気ルーバ
４４・・・突出部
４５・・・連結部
４６・・・壁
６２・・・凹凸部
７１・・・ブラケット
７２・・・ストッパ
７３・・・取付部
７４・・・延設部
８１・・・ブラケット
８２・・・取付部
８３・・・延設部
８４・・・水平回動部
８５・・・垂直回動部
９１・・・ブラケット
９２・・・カールコード係止部
１０１・・・ブラケット
１０２・・・取付孔
１０３・・・カールコード係止部
１１１・・・ブラケット
１１２・・・取付孔
１１３・・・カールコード係止部
１２１・・・ブラケット
１２２・・・カールコード引掛部
１２３・・・物掛部
１２４・・・分離部材
１２５・・・布巾
１３１・・・ジャム処理用ドア
１３２・・・モジュラケーブル係止部
１４２・・・モジュラケーブル係止部
１５１・・・ドア
１６１・・・モジュラケーブル
１６２・・・側面板
１６３・・・穴部
１７１・・・ＦＡＸユニット
１７２・・・モジュラ穴
１８１・・・モジュラケーブル
１８２，１８４・・・側面板
１８２・・・側面板
１８３・・・モジュラケーブル係止部
１８４・・・側面板
１８５・・・モジュラケーブル係止部
１９１・・・ＦＡＸユニット
１９２・・・モジュラ穴
２０１・・・モジュラケーブル
２０２・・・側面板
２０３・・・モジュラケーブル係止部
２０４・・・側面板
２０５・・・モジュラケーブル係止部
２１１・・・ＦＡＸユニット
２１２・・・モジュラ穴
２２１・・・側面部
２２２・・・側面部
２２３，２２４・・・取付部
【図１】
2007150776.tif 000003
【図２】
2007150776.tif 000004
【図３】
2007150776.tif 000005
【図４】
2007150776.tif 000006
【図５】
2007150776.tif 000007
【図６】
2007150776.tif 000008
【図７】
2007150776.tif 000009
【図８】
2007150776.tif 000010
【図９】
2007150776.tif 000011
【図１０】
2007150776.tif 000012
【図１１】
2007150776.tif 000013
【図１２】
2007150776.tif 000014
【図１３】
2007150776.tif 000015
【図１４】
2007150776.tif 000016
【図１５】
2007150776.tif 000017
【図１６】
2007150776.tif 000018
【図１７】
2007150776.tif 000019
【図１８】
2007150776.tif 000020
【図１９】
2007150776.tif 000021
【図２０】
2007150776.tif 000022
【図２１】
2007150776.tif 000023
【図２２】
2007150776.tif 000024